(57)【特許請求の範囲】
【請求項１】
上面の幅方向外側寄りに設置された一対の上面外側デッキボードと、一対の前記上面外側デッキボードと交差して設置される桁とを備え、一対の前記上面外側デッキボード上に積載される複数の板状体が、固定バンドで一対の前記上面外側デッキボードに巻かれて固定されるパレットであって、
前記桁に設けられたガイドレールと、
一対の前記上面外側デッキボードの前記ガイドレールに沿っての移動を規制するノックピンとを有し、
前記上面外側デッキボード同士の間隔が可変であり、
前記板状体の幅は、前記上面外側デッキボード二枚分の幅と前記上面外側デッキボード同士の間隔とを加えた寸法との差分が、前記寸法の０．０１倍未満であることを特徴とするパレット。
【発明の詳細な説明】
【技術分野】
【０００１】
本発明は、荷崩れが発生しないように板状体を梱包するのに用いるパレットに関する。
【背景技術】
【０００２】
太陽電池モジュールのような板状体を運搬する際には、他の板状体と接触して傷ついたり、他の板状体に傷を付けたりすることを防止するために、板状体は包装される。板状体は、全体が包装されることもあれば、端部又はコーナー部といった一部分のみが包装されることもあり、用途に応じた種々の包装資材が開発されている。
【０００３】
特許文献１には、太陽電池モジュールの荷崩れを防止するための梱包形態が開示されている。
【先行技術文献】
【特許文献】
【０００４】
【特許文献１】特開２０１３−６３７８７号公報
【発明の概要】
【発明が解決しようとする課題】
【０００５】
しかしながら、特許文献１に開示される梱包形態は、矩形状のパレットと支持部材とその他部材とを有した梱包材により荷崩れを防止しているが、複数の部材を使用した梱包材を使用することで加工ロスが生じてしまうという問題があった。また、梱包時の作業ロスも平積み型の梱包と比較しても多いという問題があった。
【０００６】
本発明は、上記に鑑みてなされたものであって、梱包材の加工ロスが少なく、梱包時の作業ロスが少ないパレットを得ることを目的とする。
【課題を解決するための手段】
【０００７】
上述した課題を解決し、目的を達成するために、本発明は、パレットの幅方向外側寄りに設置された一対の上面外側デッキボードの上に、上面外側デッキボード二枚分の幅と上面外側デッキボード同士の間隔とを加えた寸法と同じ幅の複数の板状体を積載する工程を有する。また、本発明は、複数の板状体と一対の上面外側デッキボードとに固定バンドを巻いて、複数の板状体をパレットに固定する工程とを有する。
【発明の効果】
【０００８】
本発明によれば、梱包材の加工ロスが少なく、梱包時の作業ロスが少ないパレットを得られるという効果を奏する。
【図面の簡単な説明】
【０００９】
【図１】本発明の実施の形態１にかかる板状体の梱包方法によって太陽電池モジュールを梱包した梱包体を示す図
【図２】実施の形態１にかかる板状体の梱包方法によって太陽電池モジュールを梱包した梱包体の断面図
【図３】実施の形態１にかかる板状体の梱包方法に用いるパレットの構成を示す斜視図
【図４】実施の形態１にかかる板状体の梱包方法によって太陽電池モジュールを梱包した梱包体の断面模式図
【図５】実施の形態１にかかる板状体の梱包方法によって太陽電池モジュールを梱包した梱包体の部分拡大断面図
【図６】実施の形態１にかかる板状体の梱包方法によって太陽電池モジュールを梱包した別の梱包体の断面模式図
【図７】本発明の実施の形態２にかかるパレットの構成を示す斜視図
【図８】実施の形態２にかかるパレットの構成を示す上面図
【図９】本発明の実施の形態３にかかるパレットの構成を示す上面図
【発明を実施するための形態】
【００１０】
以下に、本発明の実施の形態にかかるパレットを図面に基づいて詳細に説明する。なお、この実施の形態によりこの発明が限定されるものではない。
【００１１】
実施の形態１．
図１は、本発明の実施の形態１にかかる板状体の梱包方法によって太陽電池モジュールを梱包した梱包体を示す図である。図２は、実施の形態１にかかる板状体の梱包方法によって太陽電池モジュールを梱包した梱包体の断面図である。梱包体は、パレット１の上に太陽電池モジュール７を複数枚積載し、コーナー部の保護用のコーナーパッド５及び天面固定用の天面固定部材６を設置した上で、固定バンド８によって固定されている。
【００１２】
図３は、実施の形態１にかかる板状体の梱包方法に用いるパレットの構成を示す斜視図である。パレット１は、太陽電池モジュール７が積載される上面デッキボード２と、剛性確保のために上面デッキボード２に対向して設置された下面デッキボード３と、上面デッキボード２及び下面デッキボード３と交差して設置される桁４とを有する。
【００１３】
上面デッキボード２は、パレット１の幅方向外側寄りに設置された上面外側デッキボード２ａと、パレット１の幅方向内側寄りに設置された上面内側デッキボード２ｂと、パレット１の幅方向中央に設置された上面中央デッキボード２ｃとを含んでいる。なお、パレット１の幅方向とは、図２の紙面での左右方向である。上面外側デッキボード２ａのパレット１の幅方向外側の端同士の間隔、換言するとパレット１の上面の幅は、パレット１の下面の幅よりも狭くなっている。なお、パレット１は、上面中央デッキボード２ｃを省略した構造とすることも可能である。
【００１４】
一般的には、パレットに太陽電池モジュールを固定する際には、パレットの端面に固定バンドをかけ、太陽電池モジュールの外周に沿って固定する。しかしながら、太陽電池モジュールの荷役作業又は輸送作業により、太陽電池モジュールの荷ずれが発生する場合がある。荷ずれが発生すると、太陽電池モジュールのフレームの一部分に許容荷重以上の荷重がかかり、太陽電池モジュールのフレームが変形しやすくなり、場合によっては、太陽電池モジュールの受光面のガラスを破損させてしまうこともある。したがって、荷ずれが発生すると、運搬作業性を損なうだけでなく、太陽電池モジュールの品質の低下を招く可能性がある。
【００１５】
荷ずれの発生度合いを調査したところ、積層した太陽電池モジュールのうち、パレットに近い側の太陽電池モジュールに荷ずれが多く発生していることが確認された。これは、太陽電池モジュールよりも幅広のパレットに太陽電池モジュールを積載する従来の梱包方法では、パレットと太陽電池モジュールの幅方向の寸法差に起因して、パレットに近い太陽電池モジュールの側面には固定バンドが当接しないことが原因であると考えられる。
【００１６】
図４は、実施の形態１にかかる板状体の梱包方法によって太陽電池モジュールを梱包した梱包体の断面模式図である。実施の形態１において、太陽電池モジュール７の幅はＹ１である。また、パレット１の上面外側デッキボード２ａ二枚分の幅と上面外側デッキボード２ａ同士の間隔とを加えた寸法はＺ１である。実施の形態１では、パレット１は、Ｚ１≒Ｙ１となるものが選定されている。すなわち、実施の形態１では、パレット１の上に、上面外側デッキボード２ａ二枚分の幅と上面外側デッキボード２ａ同士の間隔とを加えた寸法に概ね等しい幅の太陽電池モジュール７を積載し、固定バンド８を巻いてパレット１と太陽電池モジュール７とを固定している。ここで、Ｚ１≒Ｙ１と見なすことのできるＺ１とＹ１との差分の上限値は、仕様に基づいて決定される値である。（Ｚ１−Ｙ１）／Ｚ１＜０．０１であれば、荷ずれの発生を抑えることができるが、この値は一例であり、Ｚ１≒Ｙ１と見なすことのできるＺ１とＹ１との差分（Ｚ１−Ｙ１）の上限値は、０．０１×Ｚ１に限定されない。
【００１７】
図５は、実施の形態１にかかる板状体の梱包方法によって太陽電池モジュールを梱包した梱包体の部分拡大断面図であり、図２のＣ部を示している。実施の形態１においては、パレット１の上面外側デッキボード２ａ二枚分の幅と上面外側デッキボード２ａ同士の間隔とを加えた寸法が、太陽電池モジュール７の幅と同じであるため、積載された太陽電池モジュール７のうちパレット１に近くに積載されているものの側面にも固定バンド８を当接させることができる。したがって、梱包体の運搬時に太陽電池モジュール７の荷崩れが生じることを防止できる。このため、パレット１一枚当たりに積載する太陽電池モジュール７の枚数を増やして輸送効率を高めて省エネルギー化を図れる。また、荷崩れを防止することで、製品輸送時の安全性を高めることができる。また、パレット１には単純に太陽電池モジュール７を積み重ねるため、開梱作業が容易であり、コーナーパッド５、天面固定部材６及び固定バンド８を容易に分別し回収できる。
【００１８】
図６は、実施の形態１にかかる板状体の梱包方法によって太陽電池モジュールを梱包した別の梱包体の断面模式図である。パレット１には、太陽電池モジュール７よりも幅が狭い太陽電池モジュール７’が積層されている。太陽電池モジュール７’の幅はＹ２である。また、パレット１の上面内側デッキボード２ｂ二枚分の幅と上面内側デッキボード２ｂ同士の間隔とを加えた寸法はＺ２である。パレット１は、Ｚ２≒Ｙ２となるものが選定されている。すなわち、実施の形態１では、パレット１の上に、上面内側デッキボード２ｂ二枚分の幅と上面内側デッキボード２ｂ同士の間隔とを加えた寸法に概ね等しい幅の太陽電池モジュール７’を積載し、固定バンド８を巻いてパレット１と太陽電池モジュール７’とを固定している。
【００１９】
ここで、Ｚ２≒Ｙ２と見なすことのできるＺ２とＹ２との差分の上限値は、仕様に基づいて決定される値である。（Ｚ２−Ｙ２）／Ｚ２＜０．０１であれば、荷ずれの発生を抑えることができるが、この値は一例であり、Ｚ２≒Ｙ２と見なすことのできるＺ２とＹ２との差分（Ｚ２−Ｙ２）の上限値は、０．０１×Ｚ２に限定されない。
【００２０】
実施の形態１にかかる板状体の梱包方法の工程の流れについて説明する。まず、パレット１の幅方向外側寄りに設置された一対の上面外側デッキボード２ａの上に、上面外側デッキボード２ａ二枚分の幅と上面外側デッキボード２ａ同士の間隔とを加えた寸法と同じ幅の複数の太陽電池モジュール７を積載する。次に、複数の太陽電池モジュール７と一対の上面外側デッキボード２ａとに固定バンド８を巻いて、複数の太陽電池モジュール７をパレット１に固定する。なお、コーナー部の保護用のコーナーパッド５及び天面固定用の天面固定部材６を太陽電池モジュール７に設置した上で、固定バンド８を巻いてもよいが、コーナーパッド５及び天面固定部材６は無くても良い。
【００２１】
このように、実施の形態１にかかる板状体の梱包方法に用いるパレット１は、幅の異なる二種類の太陽電池モジュール７，７’のどちらを積載する場合でも、荷ずれを防止して荷崩れの発生を抑えることができる。これにより、パレット１の再利用が容易となり、パレット１に用いる原材料を減量化できる。また、パレット１の在庫を減らすことも可能である。なお、上面デッキボード２を三対以上のデッキボードで構成することにより、三種類以上の太陽電池モジュールのいずれか一種類を荷崩れが生じないように積載することも可能である。
【００２２】
実施の形態１にかかる板状体の梱包方法は、梱包材の加工ロスが少なく、梱包時の作業ロスが少ない。
【００２３】
実施の形態２．
図７は、本発明の実施の形態２にかかるパレットの構成を示す斜視図である。図８は、実施の形態２にかかるパレットの構成を示す上面図である。実施の形態２にかかるパレット１１は、上面外側デッキボード２ａに切り欠き１２が形成されて幅狭部が形成されており、上面外側デッキボード２ａ二枚分の幅と上面外側デッキボード２ａ同士の間隔とを加えた寸法が、パレット１１の下面の幅と同じである点で、実施の形態１にかかる板状体の梱包方法に用いられるパレット１と相違している。
【００２４】
幅狭部での上面外側デッキボード２ａ二枚分の幅と上面外側デッキボード２ａ同士の間隔とを加えた寸法Ｚ３は、太陽電池モジュール７の幅Ｙ１とは、Ｚ３≒Ｙ１である。すなわち、実施の形態２では、パレット１１の上に、上面外側デッキボード２ａ二枚分の幅と上面外側デッキボード２ａ同士の間隔とを加えた寸法に概ね等しい幅の太陽電池モジュール７を積載し、固定バンド８を巻いてパレット１１と太陽電池モジュール７とを固定する。ここで、Ｚ３≒Ｙ１と見なすことのできるＺ３とＹ１との差分の上限値は、仕様に基づいて決定される値である。（Ｚ３−Ｙ１）／Ｚ３＜０．０１であれば、荷ずれの発生を抑えることができるが、この値は一例であり、Ｚ３≒Ｙ１と見なすことのできるＺ３とＹ１との差分（Ｚ３−Ｙ１）の上限値は、０．０１×Ｚ３に限定されない。
【００２５】
実施の形態２にかかるパレット１１は、パレット１１の上面の幅と、パレット１１の下面の幅とが同じであるため、太陽電池モジュール７と上面外側デッキボード２ａとの接触面積は、実施の形態１のパレット１よりも大きくなる。従って、実施の形態１のパレット１を用いる場合よりも太陽電池モジュール７を安定して積み重ねることができる。
【００２６】
なお、実施の形態１にかかるパレット１と同様に、一対の上面内側デッキボード２ｂを備えるため、上面内側デッキボード２ｂ二枚分の幅と上面内側デッキボード２ｂ同士の間隔とを加えた寸法と同じ幅の太陽電池モジュールを複数積載した場合も、太陽電池モジュールを安定して積み重ねることができる。
【００２７】
実施の形態３．
図９は、本発明の実施の形態３にかかるパレットの構成を示す斜視図である。実施の形態３にかかるパレットは、上面外側デッキボード２ａが可動式となっている点で、実施の形態１と相違する。
【００２８】
パレット２１は、桁４にガイドレール４１が設置されており、上面外側デッキボード２ａは、ガイドレール４１に沿って移動可能となっている。このため、パレット２１の上面の幅は変更可能である。また、上面外側デッキボード２ａは、ノックピンのような固定部材を用いることにより、ガイドレール４１に沿っての移動を規制可能である。
【００２９】
実施の形態３にかかるパレット２１は、積載する太陽電池モジュールの幅に合わせて上面外側デッキボード２ａ同士の間隔を変更した上で、上面外側デッキボード２ａの位置を固定することができる。したがって、パレット２１の上面の幅と太陽電池モジュール７の幅との寸法差に起因して荷ずれが発生することを防止できる。
【００３０】
実施の形態３にかかるパレット２１は、幅の異なる複数種の太陽電池モジュールのうちのどの種類の太陽電池モジュールでも積載可能であるため、太陽電池モジュールの種類ごとに異なるパレットを作成する必要がなく、省資源化を実現できる。
【００３１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３２】
１，１１，２１  パレット、２  上面デッキボード、２ａ  上面外側デッキボード、２ｂ  上面内側デッキボード、２ｃ  上面中央デッキボード、３  下面デッキボード、４  桁、５  コーナーパッド、６  天面固定部材、７，７’  太陽電池モジュール、８  固定バンド、１２  切り欠き、４１  ガイドレール。
【図１】
0006523821.tif 000002
【図２】
0006523821.tif 000003
【図３】
0006523821.tif 000004
【図４】
0006523821.tif 000005
【図５】
0006523821.tif 000006
【図６】
0006523821.tif 000007
【図７】
0006523821.tif 000008
【図８】
0006523821.tif 000009
【図９】
0006523821.tif 000010